(57)【要約】【課題】不具合が存在する医療器材を適切に管理する。【解決手段】医療器材管理サーバ１２に構築されたオーダ情報データベースは、医療行為において使用予定の医療器材を特定する医療器材情報を含むオーダ情報を記録する。医療器材管理サーバ１２の抽出部は、オーダ情報データベースに記録されたオーダ情報に含まれる医療器材情報の中から、不具合情報データベースに登録された医療器材を特定する医療器材情報を抽出する。病棟ＰＣ１８は、抽出された医療器材情報によって特定される医療器材に不具合が存在する旨をディスプレイに表示する。【選択図】図１
2008009541.tif 000002
【特許請求の範囲】
【請求項１】
医療行為において使用する医療器材を特定する医療器材情報が記録された医療器材情報記録手段と、
不具合が存在する医療器材を登録する不具合器材登録手段と、
前記医療器材情報記録手段に記録された医療器材情報の中から、前記不具合器材登録手段に登録された医療器材を特定する医療器材情報を抽出する抽出手段と、
抽出された医療器材情報によって特定される医療器材に不具合が存在する旨を報知する報知手段と、
を備えることを特徴とする医療器材管理システム。
【請求項２】
予定されている医療行為に関する医療予定情報であって、当該医療行為で使用予定の医療器材を特定する医療器材情報を含む医療予定情報が記録された医療予定情報記録手段と、
不具合が存在する医療器材を登録する不具合器材登録手段と、
前記医療予定情報記録手段に記録された医療予定情報に含まれる医療器材情報の中から、前記不具合器材登録手段に登録された医療器材を特定する医療器材情報を抽出する抽出手段と、
抽出された医療器材情報によって特定される医療器材が使用される医療行為において、抽出された医療器材情報によって特定される医療器材に不具合が存在する旨を報知する報知手段と、
を備えることを特徴とする医療器材管理システム。
【請求項３】
予定されている医療行為のユーザによる指定を受け付ける医療予定指定部と、
指定された医療行為に関する医療予定情報を表示する医療予定表示手段と、をさらに備え、
前記抽出手段は、前記指定された医療行為において使用予定の医療器材に前記不具合器材登録手段に登録された医療器材が含まれる場合に、当該医療器材を特定する医療器材情報を抽出し、
前記報知手段は、前記医療予定表示手段が指定された医療行為に関する情報を表示すると共に、抽出された医療器材情報によって特定される医療器材に不具合が存在する旨を表示することを特徴とする請求項２に記載の医療器材管理システム。
【請求項４】
前記報知手段は、前記不具合器材登録手段に登録された当該医療器材の代替品としての医療器材を報知することを特徴とする請求項２または３に記載の医療器材管理システム。
【請求項５】
医療行為において使用する医療器材の在庫状況を特定する在庫情報が記録された在庫情報記録手段をさらに備え、
前記抽出手段は、前記在庫情報記録手段に記録された在庫情報の中から、前記不具合器材登録手段に登録された医療器材の在庫状況を特定する在庫情報を抽出し、
前記報知手段は、抽出された在庫情報によって特定される医療器材の在庫状況も報知することを特徴とする請求項２から４のいずれかに記載の医療器材管理システム。
【請求項６】
医療行為において使用した医療器材を特定する使用済器材情報が記録された使用済器材情報記録手段と、
不具合が存在する医療器材を登録する不具合器材登録手段と、
前記使用済器材情報記録手段に記録されている使用済器材情報の中から、前記不具合器材登録手段に登録された医療器材を特定する使用済器材情報を抽出する抽出手段と、
抽出された使用済器材情報によって特定される医療器材に不具合が存在する旨を報知する報知手段と、
を備えることを特徴とする医療器材管理システム。
【請求項７】
医療行為を担当した担当者を特定する担当者情報が記録された担当者情報記録手段をさらに備え、
前記抽出手段は、前記担当者情報記録手段に記録された担当者情報の中から、前記不具合器材登録手段に登録された医療器材が使用された医療行為を担当した担当者を特定する担当者情報を抽出し、
前記報知手段は、抽出された担当者情報によって特定される担当者に、抽出された使用済器材情報によって特定される医療器材に不具合が存在する旨を通知することを特徴とする請求項６に記載の医療器材管理システム。
【請求項８】
前記使用済器材情報記録手段には、不具合が存在する場合の報知の必要性のレベルが医療器材に対応して記録されており、
前記報知手段は、不具合が存在する場合の報知の必要性が所定のレベル以上の場合に、抽出された使用済器材情報によって特定される医療器材に不具合が存在する旨を報知することを特徴とする請求項６または７に記載の医療器材管理システム。
【請求項９】
医療行為において使用する医療器材の在庫状況を特定する在庫情報が記録された在庫情報記録手段をさらに備え、
前記抽出手段は、前記在庫情報記録手段に記録された在庫情報の中から、前記不具合器材登録手段に登録された医療器材の在庫状況を特定する在庫情報を抽出し、
前記報知手段は、抽出された在庫情報によって特定される医療器材の在庫状況も報知することを特徴とする請求項６から８のいずれかに記載の医療器材管理システム。
【発明の詳細な説明】
【技術分野】
【０００１】
本発明は、医療器材管理システムに関し、特に医療行為において使用される医療器材を管理する医療器材管理システムに関する。
【背景技術】
【０００２】
手術などの医療行為では、たとえばペースメーカやインプラント品など様々な医療器材が用いられる。医療行為の準備にあたって、その医療行為にどの医療器材が使用されるかを容易に知ることができれば、医療行為を円滑に実施することが可能である。このため、たとえば特許文献１では、治療項目において使用するための適切な医療用備品のリストを、医療処置のための臨床過程上の少なくとも１つの治療項目を表す備品目録として発行する、医療施設に医療用備品を供給する方法が提案されている。
【０００３】
また、適切な医療器材を適宜使用することを可能とするため、医療器材の在庫状況の確認を容易にすることへのニーズも高まっている。たとえば特許文献２では、発注品リストを使用禁止医薬品情報データベースと照合し、発注する医薬品が使用禁止医薬品に該当するものであるときは、その医薬品の発注処理を中止させる医薬品発注システムが提案されている。また、たとえば特許文献３では、植込形医用デバイスに使用される医用機器が患者に植込まれる際に、その医用機器の在庫量の管理を行うための在庫量管理システムが提案されている。
【特許文献１】特表平１０−５１０７９１号公報
【特許文献２】特開２００５−２６７０２６号公報
【特許文献３】特開２００１−１９０５０５号公報
【発明の開示】
【発明が解決しようとする課題】
【０００４】
医療器材に不具合が存在する場合、たとえばそのような医療器材を誰に使用する予定であるか、または既に使用したか、またはそのような医療器材の在庫状況などを把握することは、安全性を重視する医療現場においては極めて重要である。このため、医療器材の使用予定や使用履歴、在庫状況を容易かつ的確に把握することが可能な医療器材の管理技術の開発が強く求められている。
【０００５】
本発明はこうした課題に鑑みてなされたものであり、その目的は、不具合が存在する医療器材を適切に管理することにある。
【課題を解決するための手段】
【０００６】
上記課題を解決するために、本発明のある態様の医療器材管理システムは、医療行為において使用する医療器材を特定する医療器材情報が記録された医療器材情報記録手段と、不具合が存在する医療器材を登録する不具合器材登録手段と、医療器材情報記録手段に記録された医療器材情報の中から、不具合器材登録手段に登録された医療器材を特定する医療器材情報を抽出する抽出手段と、抽出された医療器材情報によって特定される医療器材に不具合が存在する旨を報知する報知手段と、を備える。
【０００７】
この態様によれば、不具合が存在する医療器材を容易に確認することができる。このため、たとえば医療行為を担当する者や医療器材の在庫を管理する者は、不具合が存在する医療器材の使用を容易に抑制することができる。
【０００８】
本発明の別の態様もまた、医療器材管理システムである。この医療器材管理システムは、予定されている医療行為に関する医療予定情報であって、当該医療行為で使用予定の医療器材を特定する医療器材情報を含む医療予定情報が記録された医療予定情報記録手段と、不具合が存在する医療器材を登録する不具合器材登録手段と、医療予定情報記録手段に記録された医療予定情報に含まれる医療器材情報の中から、不具合器材登録手段に登録された医療器材を特定する医療器材情報を抽出する抽出手段と、抽出された医療器材情報によって特定される医療器材が使用される医療行為において、抽出された医療器材情報によって特定される医療器材に不具合が存在する旨を報知する報知手段と、を備える。
【０００９】
この態様によれば、将来実施が予定されている医療行為のために医療器材を準備する際、不具合が存在する医療器材を容易に確認することができる。このため、その医療器材を使用する者は、医療行為を実施するに際して不具合が存在する医療器材の使用を停止したり代替品を使用するなどの措置を迅速かつ的確に実施することができ、安全で質の高い医療行為を実施することが可能となる。
【００１０】
予定されている医療行為のユーザによる指定を受け付ける医療予定指定部と、指定された医療行為に関する医療予定情報を表示する医療予定表示手段と、をさらに備えてもよい。抽出手段は、指定された医療行為において使用予定の医療器材に不具合器材登録手段に登録された医療器材が含まれる場合に、当該医療器材を特定する医療器材情報を抽出し、報知手段は、医療予定表示手段が指定された医療行為に関する情報を表示すると共に、抽出された医療器材情報によって特定される医療器材に不具合が存在する旨を表示してもよい。また、報知手段は、不具合器材登録手段に登録された当該医療器材の代替品としての医療器材を報知してもよい。
【００１１】
本発明のさらに別の態様もまた、医療器材管理システムである。この医療器材管理システムは、医療行為において使用した医療器材を特定する使用済器材情報が記録された使用済器材情報記録手段と、不具合が存在する医療器材を登録する不具合器材登録手段と、使用済器材情報記録手段に記録されている使用済器材情報の中から、不具合器材登録手段に登録された医療器材を特定する使用済器材情報を抽出する抽出手段と、抽出された使用済器材情報によって特定される医療器材に不具合が存在する旨を報知する報知手段と、を備える。
【００１２】
この態様によれば、既に実施した医療行為において、不具合が存在する医療器材が使用されたか否かを容易に確認することができる。このため、たとえば患者に取り付けた医療器材などを交換するなどの措置を迅速かつ的確に実施することができる。
【００１３】
なお、医療行為を担当した担当者を特定する担当者情報が記録された担当者情報記録手段をさらに備えてもよい。抽出手段は、担当者情報記録手段に記録された担当者情報の中から、不具合器材登録手段に登録された医療器材が使用された医療行為を担当した担当者を特定する担当者情報を抽出し、報知手段は、抽出された担当者情報によって特定される担当者に、抽出された使用済器材情報によって特定される医療器材に不具合が存在する旨を通知してもよい。
【００１４】
また、使用済器材情報記録手段には、不具合が存在する場合の報知の必要性のレベルが医療器材に対応して記録されており、報知手段は、不具合が存在する場合の報知の必要性が所定のレベル以上の場合に、抽出された使用済器材情報によって特定される医療器材に不具合が存在する旨を報知してもよい。
【００１５】
医療行為において使用する医療器材の在庫状況を特定する在庫情報が記録された在庫情報記録手段をさらに備えてもよい。抽出手段は、在庫情報記録手段に記録された在庫情報の中から、不具合器材登録手段に登録された医療器材の在庫状況を特定する在庫情報を抽出し、報知手段は、抽出された在庫情報によって特定される医療器材の在庫状況も報知してもよい。
【００１６】
なお、以上の構成要素の任意の組合せや、本発明の構成要素や表現を方法、装置、コンピュータプログラム、コンピュータプログラムを格納した記録媒体などの間で相互に置換したものもまた、本発明の態様として有効である。
【発明の効果】
【００１７】
本発明の医療器材管理システムによれば、不具合が存在する医療器材を適切に管理することができる。
【発明を実施するための最良の形態】
【００１８】
本発明の実施形態を具体的に説明する前に、まず本実施形態にかかる医療器材管理システムの一例について簡単に述べる。本実施形態にかかる医療器材管理システムは、たとえば予定されている手術などの医療行為に関するオーダ情報であって、当該医療行為で使用予定の医療器材を特定する使用器材情報を含むオーダ情報が記録されたオーダ情報データベースと、不具合が存在する医療器材を登録する不具合情報データベースと、オーダ情報データベースに記録されたオーダ情報に含まれる使用器材情報の中から、不具合情報データベースに登録された医療器材を特定する使用器材情報を抽出する抽出部と、抽出された使用器材情報によって特定される医療器材が使用される医療行為において、抽出された使用器材情報によって特定される医療器材に不具合が存在する旨をディスプレイに表示する病棟ＰＣ（Personal Computer）などのクライアント端末と、を備える。
【００１９】
以下、図面を参照して本発明の実施の形態（以下、「実施形態」という。）について詳細に説明する。
【００２０】
（第１の実施形態）
図１は、第１の実施形態に係る医療器材管理システム１０の全体構成図である。医療器材管理システム１０は、医療器材管理サーバ１２、医師用ＰＣ１４、在庫管理者用ＰＣ１６、病棟ＰＣ１８、および携帯端末２０を備える。
【００２１】
医師用ＰＣ１４は、主に医師によって使用される。このため、医師用ＰＣ１４は病院内において医師が在駐する場所、たとえば診察室やその周辺などに通常配置される。在庫管理者用ＰＣ１６は、主に医療器材の在庫状況を管理する在庫管理者によって使用され、このため在庫管理者が在駐する場所に通常配置される。病棟ＰＣ１８は、たとえば各病棟毎に配置される。医療器材管理サーバ１２は通常病院内のいずれかの場所に配置される。なお、図１に示す医療器材管理システム１０では医療器材管理サーバ１２、医師用ＰＣ１４、および在庫管理者用ＰＣ１６は１つずつ設けられているが、これらが複数設けられていてもよいことは勿論である。
【００２２】
携帯端末２０は、無線通信機能を有する病棟ＰＣ１８と無線によって通信を行う。携帯端末２０は、主に看護師が病院内において携帯する。
【００２３】
医療器材管理サーバ１２、医師用ＰＣ１４、在庫管理者用ＰＣ１６、および病棟ＰＣ１８はネットワーク２２によって相互に接続されている。携帯端末２０は病棟ＰＣ１８とだけでなく、病棟ＰＣ１８を介してネットワーク２２に接続されている様々な機器と相互にデータの送受信を行う。
【００２４】
図２は、医療器材管理サーバ１２の全体構成図である。医療器材管理サーバ１２は記憶部３０、抽出部４２、送信部４４、および受信部４６を有する。記憶部３０にはオーダ情報データベース３２、準備品リストマスタデータベース３４、実施記録データベース３６、在庫データベース３８、および不具合情報データベース４０が構築されている。
【００２５】
オーダ情報データベース３２にはオーダ情報が記録される。オーダ情報は、予定されている手術や検査、処置などの医療行為に関する情報であり、医療予定情報として利用される。このため、オーダ情報データベース３２は、医療予定情報が記録された医療予定情報記録手段として機能する。オーダ情報には、手術で使用予定の医療器材を特定する使用器材情報が含まれている。
【００２６】
準備品リストマスタデータベース３４には準備品情報が記録されており、このため準備品リストマスタデータベース３４は準備品情報記録手段として機能する。準備品情報では医療行為の各々と、その医療行為で通常使用される医療器材とが対応付けられている。具体的には、第１の実施形態に係る医療器材管理システム１０では、準備品情報には医療器材情報、および手術の術式を示す術式情報が含まれており、各々の術式情報がその術式で通常使用される医療器材を示す医療器材情報に対応づけられている。
【００２７】
実施記録データベース３６にはオーダに対して行われた医療行為の実施記録情報が記録されている。実施記録情報は、手術で使用した医療器材を特定する情報を含む。このため実施記録情報は、医療行為で使用した医療器材を特定する使用済器材情報として利用され、実施記録データベース３６は、使用済器材情報が記録された使用済器材情報記録手段として機能する。
【００２８】
在庫データベース３８には在庫情報が記録されており、このため在庫データベース３８は在庫情報記録手段として機能する。在庫情報は、医療器材の在庫状況を特定する情報を含む。在庫情報には、医療器材の商品コード、器材名、メーカー名、ロット番号、発注日、入庫日、出庫日、数量などを特定する情報が含まれている。
【００２９】
不具合情報データベース４０には不具合情報が記録されており、このため不具合情報データベース４０は不具合情報記録手段として機能する。不具合情報は、不具合が存在する医療器材を特定する情報を含む。オーダ情報、準備品情報、実施記録情報、在庫情報、および不具合情報についてはこのあと詳述する。
【００３０】
抽出部４２は、オーダ情報データベース３２、準備品リストマスタデータベース３４、実施記録データベース３６、在庫データベース３８および不具合情報データベース４０のいずれかから所定の情報を抽出する。受信部４６はネットワーク２２を介して医療器材管理サーバ１２に送信されたデータを受信し、送信部４４はネットワーク２２にデータを送信する。なお、以下の説明においてデータとは一般的なデータだけでなくプログラムも含むものとする。
【００３１】
図３は、医師用ＰＣ１４の全体構成図である。医師用ＰＣ１４は、ＰＣ本体５０、ディスプレイ６４Ａ、マウス６６Ａ、およびキーボード６８Ａを有する。ＰＣ本体５０は、受信部５２、送信部５４、記憶部５６、オーダ情報取得部５８、準備品情報取得部６０、表示データ生成部６２、検索部６３を有する。
【００３２】
受信部５２はネットワーク２２を介して医師用ＰＣ１４に送信されたデータを受信し、送信部５４はネットワーク２２にデータを送信する。オーダ情報取得部５８は、キーボード６８Ａやマウス６６Ａなどの入力装置を使って医師などによって入力されたオーダ情報を取得する。また、オーダ情報取得部５８は、ネットワーク２２を介して医療器材管理サーバ１２から送信されたオーダ情報を取得する。記憶部５６は、取得したオーダ情報などのデータを格納する。医師などによるオーダ情報に含まれる情報の内容やその入力方法は、図４に関連して詳述する。
【００３３】
準備品情報取得部６０は、医療器材管理サーバ１２の準備品リストマスタデータベース３４から準備品情報を取得する。表示データ生成部６２はディスプレイ６４Ａに表示するための表示データを生成し、ディスプレイ６４Ｂは生成された表示データを表示する。検索部６３については後述する。
【００３４】
図４は、オーダ登録画面２０２を示す図である。オーダ登録画面２０２は、医師などがオーダ情報を入力する際に医師用ＰＣ１４のディスプレイ６４Ａに表示される。
【００３５】
オーダ登録画面２０２上方にはオーダ登録タブ１４０、一覧表示タブ１４２、件数集計タブ１４４、データ出力タブ１４６、システム設定タブ１４８が表示されている。このうちオーダ登録タブ１４０がマウス６６Ａによってクリックされて選択されることによって、オーダ登録画面２０２がディスプレイ６４Ａに表示される。ユーザは、オーダ登録画面２０２において、患者ＩＤ、患者カナ名、患者漢字名、性別、年齢、入外区分、病棟名、オーダ種別、手術予定日時、予定時間、手術室、診療科、病名、術式、併存症、麻酔種類、医師名、看護師名、予想出血量、準備品など、手術の予定に関する情報としてのオーダ情報を入力することができる。
【００３６】
オーダ登録画面２０２の左上には、患者ＩＤ入力欄２０４、患者カナ名入力欄２０６、患者漢字名入力欄２０８、年齢入力欄２１２、性別入力欄２１４、入外区分入力欄２１６、病棟入力欄２１８が表示される。
【００３７】
ユーザは、患者ＩＤ入力欄２０４をクリックして入力可能状態とすることにより、患者ＩＤを入力することができる。ユーザにより入力された患者ＩＤは、患者ＩＤ入力欄２０４に表示される。ユーザは、患者カナ名入力欄２０６をクリックして入力可能状態とすることにより、患者カナ名を入力することができる。入力された患者カナ名は、患者カナ名入力欄２０６に表示される。ユーザは、患者漢字名入力欄２０８をクリックして入力可能状態とすることにより、患者漢字名を入力することができる。入力された患者漢字名は、患者漢字名入力欄２０８に表示される。入力された患者漢字名および患者カナ名は患者名として医療器材管理システム１０において利用される。
【００３８】
性別入力欄２１４はプルダウンメニューとされており、ユーザは、性別入力欄２１４をクリックして男性を示す「Ｍ」または女性を示す「Ｆ」、「Ｕｎｋｎｏｗｎ」、または空白のいずれかをさらにクリックして選択することにより、患者の性別を入力することができる。入力された患者の性別は性別入力欄２１４に表示される。ユーザは、年齢入力欄２１２をクリックして入力可能状態とすることにより、患者の年齢を入力することができる。入力された患者の年齢は年齢入力欄２１２に表示される。
【００３９】
入外区分入力欄２１６はプルダウンメニューとされており、ユーザは、入外区分入力欄２１６をクリックして「入院」または「外来」をさらにクリックして選択することにより、入院または外来を示す入外区分を入力することができる。入力された入外区分は入外区分入力欄２１６に表示される。病棟入力欄２１８はプルダウンメニューとされており、ユーザは、病棟入力欄２１８をクリックし、さらに病棟名をクリックして選択することにより、患者が入院している病棟名を入力することができる。入力された病棟名は病棟入力欄２１８に表示される。
【００４０】
オーダ登録画面２０２の左下には、オーダ種別入力欄２２０、手術予定日時入力欄２２２、ＯｎＣａｌｌ入力ボックス２２４、予定時間入力欄２２６、手術室入力欄２２８、診療科入力欄２３０、病名入力欄２３２、術式入力欄２３４、併存症入力欄２３６、麻酔種類入力欄２３８、医師入力欄２４０、看護師入力欄２４２、予想出血量入力欄２４４が表示される。
【００４１】
オーダ種別入力欄２２０はブルダウンメニューとされており、ユーザは、オーダ種別入力欄２２０をクリックし、さらにオーダ種別をクリックして選択することにより、オーダ種別を入力することができる。入力されたオーダ種別はオーダ種別入力欄２２０に表示される。
【００４２】
手術予定日時入力欄２２２は、日付入力欄２２２ａ、時間入力欄２２２ｂ、および分入力欄２２２ｃによって構成される。ユーザは、日付入力欄２２２ａをクリックして手術予定日入力画面（図示せず）を表示することにより、手術予定日を入力することができる。入力された手術予定日は日付入力欄２２２ａに表示される。時間入力欄２２２ｂはブルダウンメニューとされており、ユーザは、時間入力欄２２２ｂをクリックして、さらにゼロから２４までの数字をクリックして選択することにより、手術予定時刻の時間を入力することができる。入力された手術予定時刻の時間は時間入力欄２２２ｂに表示される。分入力欄２２２ｃはプルダウンメニューとされており、ユーザは分入力欄２２２ｃをクリックし、さらに所定間隔毎に設定された数字をクリックして選択することにより、手術予定時刻の分を入力することができる。入力された手術予定時刻の分は分入力欄２２２ｃに表示される。なお、ＯｎＣａｌｌを指定したい場合は、ユーザは、ＯｎＣａｌｌ入力ボックス２２４のチェックボックスをチェックすることによりＯｎＣａｌｌを指定することができる。
【００４３】
予定時間入力欄２２６は、時間入力欄２２６ａおよび分入力欄２２６ｂによって構成される。時間入力欄２２６ａはプルダウンメニューとされており、ユーザは、時間入力欄２２６ａをクリックし、さらに数字を選択することにより、予定時間を入力することができる。入力された予定時間は、時間入力欄２２６ａに表示される。分入力欄２２６ｂはプルダウンメニューとされており、ユーザは、分入力欄２２６ｂをクリックし、さらに所定時間間隔毎に設定された数字をクリックして選択することにより、予定の分数を入力することができる。入力された予定の分数は、分入力欄２２６ｂに表示される。
【００４４】
手術室入力欄２２８はプルダウンメニューとされており、ユーザは、手術室入力欄２２８をクリックして、さらに手術室をクリックして選択することにより、手術室を入力することができる。選択された手術室は手術室入力欄２２８に表示される。
【００４５】
診療科入力欄２３０はプルダウンメニューとされており、ユーザは、診療科入力欄２３０をクリックし、いずれかの診療科をクリックして選択することにより、診療科を入力することができる。入力された診療科は診療科入力欄２３０に表示される。ユーザは、病名入力欄２３２をクリックして入力可能状態とすることにより、病名を入力することができる。入力された病名は病名入力欄２３２に表示される。
【００４６】
ユーザは、術式入力欄２３４をクリックして術式入力画面（図示せず）を表示させることにより、術式を入力することができる。具体的には、術式入力画面には、診療科入力欄２３０によって指定された診察科に応じた術式リストが表示される。術式リストに一覧表示された術式の各々にはチェックボックスが設けられており、このチェックボックスをオンにして選択することによって術式が選択される。複数の術式のチェックボックスをオンにすることによって、複数の術式を選択することが可能となっている。入力された術式は術式入力欄２３４に表示される。
【００４７】
併存症入力欄２３６はプルダウンメニューとされており、ユーザは、併存症入力欄２３６をクリックし、併存症の「あり」または「なし」をクリックして選択することにより、併存症の存否を入力することができる。入力された併存症の存否は併存症入力欄２３６に表示される。麻酔種類入力欄２３８はプルダウンメニューとされており、ユーザは、麻酔種類入力欄２３８をクリックし、さらに「全身麻酔」や「局部麻酔」などの麻酔種類をクリックして選択することにより、麻酔種類を入力することができる。入力された麻酔種類は麻酔種類入力欄２３８に表示される。
【００４８】
ユーザは、医師入力欄２４０をクリックして医師入力画面（図示せず）を表示させることにより、執刀医、助手、および麻酔医などの医師名を入力することができる。入力された医師名は、入力されたオーダ情報の手術を担当する医師を特定する医師情報として医療器材管理システム１０において利用される。入力された医師名は医師入力欄２４０に表示される。
【００４９】
ユーザは、看護師入力欄２４２をクリックして看護師入力画面（図示せず）を表示させることにより、直接介助看護師名および間接介助看護師名を入力することができる。入力された直接介助看護師名または間接介助看護師名などの看護師は、入力されたオーダ情報の手術を担当する看護師を特定する看護師情報として、医療器材管理システム１０において利用される。ユーザは、予想出血量入力欄２４４をクリックして入力可能状態とすることにより、予想出血量を入力することができる。入力された予想出血量は予想出血量入力欄２４４に表示される。
【００５０】
オーダ登録画面２０２の右側には、準備品リスト欄２４８が設けられている。準備品リスト欄２４８には、術式入力欄２３４に入力された術式に応じた医療器材の情報である準備品情報が表示される。具体的には、術式入力欄２３４をクリックすることによって表示される術式入力画面において、ユーザにより術式を選択してＯＫボタン（図示せず）をマウス６６Ａを使って押されると、準備品情報取得部６０は、選択された術式を特定する情報を含む準備品情報の送信要求を医療器材管理サーバ１２に送信する。医療器材管理サーバ１２の抽出部４２は、準備品リストマスタデータベース３４に記録された準備品情報の中から、送信要求に含まれる情報によって特定される術式に対応して記録されている準備品情報を抽出する。送信部４４は抽出された準備品情報を医師用ＰＣ１４に送信する。医師用ＰＣ１４の受信部５２は医療器材管理サーバ１２から送信された準備品情報を受信する。表示データ生成部６２は、受信した準備品情報をオーダ登録画面２０２の準備品リスト欄２４８に表示するよう表示データを生成する。こうして術式入力欄２３４に入力された術式に応じた準備品情報が準備品リスト欄２４８に表示される。
【００５１】
準備品リスト欄２４８は、チェックボックス欄２５６、器材名欄２５７、および数量欄２５８を有する。準備品情報には医療器材の器材名および数量が含まれ、器材名欄２５７に器材名、数量欄２５８に数量が表示される。準備品リスト欄２４８に準備品が表示された時点でチェックボックス欄２５６はチェックされた状態となっている。オーダ情報を入力する医師は、表示された準備品の中で準備する必要がないと判断した準備品のチェックを外すことができる。チェックが外された準備品は、準備する必要がないものとして、オーダ情報の登録時に登録される。なお、準備品を追加したい場合は、追加ボタン２５９を押して表示される医療器材リスト（図示せず）から医療器材を選択することによって、準備品としての医療器材を追加することができる。
【００５２】
オーダ登録画面２０２の右下には登録ボタン２５０、キャンセルボタン２５２、クリアボタン２５４が設けられている。登録ボタン２５０をクリックすることにより、ユーザは、オーダ登録画面２０２に入力したオーダ情報を登録することができる。
【００５３】
具体的には、登録ボタン２５０がクリックされることにより、オーダ情報取得部５８は、オーダ登録画面２０２に入力された情報をオーダ情報として取得する。このとき、準備品リスト欄２４８に表示された医療器材も、当該手術で使用予定の医療器材を特定する医療器材情報としてオーダ情報に含められる。取得されたオーダ情報は送信部５４によって医療器材管理サーバ１２に送信される。医療器材管理サーバ１２はオーダ情報を受信すると、オーダ情報データベース３２に受信したオーダ情報を記録する。
【００５４】
ユーザによりキャンセルボタン２５２がクリックされると、オーダ登録画面２０２に入力されたオーダ情報が登録されることなく、オーダ登録画面２０２が閉じられる。ユーザによりクリアボタン２５４がクリックされると、オーダ登録画面２０２に入力された内容がクリアされる。
【００５５】
図５は、在庫管理者用ＰＣ１６の全体構成図である。在庫管理者用ＰＣ１６は、ＰＣ本体７０、ディスプレイ６４Ｂ、マウス６６Ｂ、キーボード６８Ｂ、および識別コード読取装置８４Ａを有する。ＰＣ本体７０は、受信部７２、送信部７４、記憶部７６、在庫情報取得部７８、表示データ生成部８０、検索部８２を有する。
【００５６】
受信部７２はネットワーク２２を介して在庫管理者用ＰＣ１６に送信されたデータを受信し、送信部７４はネットワーク２２にデータを送信する。在庫情報取得部７８は、マウス６６Ｂやキーボード６８Ｂなどの入力装置、または識別コード読取装置８４を使って医師などによって入力された在庫情報を取得する。
【００５７】
具体的には、在庫管理者は、ディスプレイ６４Ｂに表示された在庫状況入力画面（図示せず）に、マウス６６およびキーボード６８を使って、在庫の医療器材の器材名、ロット番号などを入力する。また、在庫管理者は、在庫の医療器材に表示された識別コードを識別コード読取装置８４Ａを使って読み取り、在庫の医療器材の器材名、ロット番号などを入力する。こうして在庫情報取得部７８は、在庫の医療器材医の器材名やロット番号などを含む在庫情報を取得する。送信部７４は、取得した在庫情報を医療器材管理サーバ１２に送信する。
【００５８】
また、在庫情報取得部７８は、医療器材管理サーバ１２に準備品情報の送信要求を送信することによって、医療器材管理サーバ１２から在庫情報を取得する。こうして医療器材管理サーバ１２の在庫データベース３８に記録されている在庫情報を、在庫管理者がいつでも参照できるようになっている。
【００５９】
記憶部７６は、取得した在庫情報などのデータを格納する。表示データ生成部８０はディスプレイ６４Ｂに表示するための表示データを生成し、ディスプレイ６４Ｂは生成された表示データを表示する。検索部８２については後述する。
【００６０】
図６は、病棟ＰＣ１８の全体構成図である。病棟ＰＣ１８は、ＰＣ本体９０、ディスプレイ６４Ｃ、マウス６６Ｃ、キーボード６８Ｃ、および識別コード読取装置８４Ｂを有する。ＰＣ本体９０は、受信部９２、送信部９４、記憶部９６、オーダ情報取得部９８、実施入力取得部１００、在庫情報取得部１０２、不具合器材登録部１０４、不具合情報取得部１０６、表示データ生成部１０７、検索部１０８を有する。
【００６１】
受信部９２はネットワーク２２を介して病棟ＰＣ１８に送信されたデータを受信し、送信部９４はネットワーク２２にデータを送信する。記憶部９６は、取得した在庫情報などのデータを格納する。
【００６２】
オーダ情報取得部９８は、医療器材管理サーバ１２にオーダ情報の送信要求を送信することによって、医療器材管理サーバ１２からオーダ情報を取得する。実施入力取得部１００は、医療器材管理サーバ１２に実施記録情報の送信要求を送信することによって、医療器材管理サーバ１２から実施記録情報を取得する。在庫情報取得部１０２は、医療器材管理サーバ１２に在庫情報の送信要求を送信することによって、医療器材管理サーバ１２から在庫情報を取得する。不具合情報取得部１０６は、マウス６６Ｃ、キーボード６８、または識別コード読取装置８４Ｂを使ってユーザによって入力された不具合情報を取得する。ユーザによる不具合情報の入力方法については、図７に関連して詳述する。
【００６３】
表示データ生成部１０７はディスプレイ６４Ｃに表示するための表示データを生成し、ディスプレイ６４Ｃは生成された表示データを表示する。検索部１０８については後述する。
【００６４】
図７は、データ出力画面１５０に不具合品ウィンドウ１６１が表示された状態を示す図である。データ出力画面１５０は、医療器材管理サーバ１２に構築される様々なデータベースに記録されている情報を出力するための画面であり、不具合品ウィンドウ１６１は、不具合が存在する医療器材を登録したり、医療器材の将来または過去の使用についての情報の検索を実施する際に表示される画面である。以下、病棟ＰＣ１８のディスプレイ６４Ｃに図７のデータ出力画面１５０が表示されているものとして説明する。データ出力画面１５０は、データ出力タブ１４６をマウス６６Ｃでクリックすることなどによってディスプレイ６４Ｃに表示される。
【００６５】
データ出力画面１５０は、自由出力ボタン１５２、使用器材ボタン１５４、実績値分析ボタン１５６、トレーサビリティボタン１５８、および不具合品ボタン１６０が画面上方に配置される。このうちユーザがマウス６６Ｃで不具合品ボタン１６０をクリックすることなどにより図７に示されるように不具合品ウィンドウ１６１が表示される。不具合品ウィンドウ１６１の略上半分の領域には、商品コード入力欄１６２、ロット番号入力欄１６６、不具合対象期間指定部１６８、登録ボタン１７０が配置される。
【００６６】
ユーザは、商品コード入力欄１６２をクリックして入力可能状態とし、キーボード６８Ｃなどを使って商品コード入力欄１６２に商品コードを入力することができる。商品コードは登録対象の医療器材に付されている識別コード周辺に記載されており、ユーザはこの商品コードを読み取って入力することができる。
【００６７】
なお、商品コード入力欄１６２の右側には選択ボタン１６４が配置されている。選択ボタン１６４がクリックされると器材選択画面（図示せず）が表示される。記憶部９６には、医療器材と商品コードが対応づけられた医療器材データベースが格納されている。この器材選択画面に表示された医療器材がクリックされ選択されると、不具合器材登録部１０４は、記憶部９６に格納された医療器材データベースを参照し、選択された医療器材に対応する商品コードを取得する。表示データ生成部１０７は、取得した商品コードを商品コード入力欄１６２に表示する表示データを生成する。これによって商品コード入力欄１６２には選択された医療器材の商品コードが入力される。
【００６８】
商品コード入力欄１６２の下方にはロット番号入力欄１６６が配置されている。ユーザはロット番号入力欄１６６をクリックして入力可能状態とし、キーボード６８Ｃなどを使ってロット番号入力欄１６６にロット番号を入力することができる。ロット番号は登録対象の医療器材に付されている識別コード周辺に記載されており、ユーザはこのロット番号を読み取って入力することができる。
【００６９】
なお、ユーザは、識別コード読取装置８４Ｂを使って不具合が存在する医療器材の商品コードおよびロット番号を入力することが可能である。医療器材の識別コードが識別コード読取装置８４によって読み取られると、ＰＣ本体９０は読み取られた商品コードを解析し、商品コードとロット番号を取得する。取得された商品コードとロット番号は表示データ生成部１０７に表示される。
【００７０】
ロット番号入力欄１６６のさらに下方には不具合対象期間指定部１６８が配置されている。不具合対象期間指定部１６８は期間開始日欄１６８ａ、期間終了日欄１６８ｂ、および期間指定なしチェックボックス１６８ｃを有している。期間開始日欄１６８ａおよび期間終了日欄１６８ｂはプルダウンメニューとされている。ユーザは期間開始日欄１６８ａをクリックしてプルダウンメニューを表示させ、表示された日付の中から期間開始日を選択することができる。またユーザは期間終了日欄１６８ｂをクリックしてプルダウンメニューを表示させ、表示された日付の中から期間終了日を選択することができる。こうしてユーザは不具合対象期間を指定することができる。なお、期間指定なしチェックボックス１６８ｃがチェックされると、不具合対象期間の指定は解除される。
【００７１】
登録ボタン１７０がユーザにクリックされるなどして押されると、不具合器材登録部１０４は、商品コード入力欄１６２に入力された商品コードの医療器材のうち、ロット番号入力欄１６６に入力されたロット番号と同一のロットのものを不具合が存在する医療器材として登録する。具体的には、不具合器材登録部１０４は、入力された商品コード、ロット番号、および不具合対象期間を不具合情報として取得し、送信部９４は、取得された不具合情報を医療器材管理サーバ１２に送信する。医療器材管理サーバ１２は不具合情報を受信すると、不具合情報データベース４０に受信した不具合情報を記録する。こうして、ユーザによって不具合が存在するものとして不具合品ウィンドウ１６１で登録された医療器材は、不具合情報データベース４０にその医療器材を特定する不具合情報として記録される。
【００７２】
不具合品ウィンドウ１６１の略下半分の領域には、不具合品一覧表示欄１７２、検索ボタン１７４、データ出力ボタン１７６ａ、帳票印刷ボタン１７６ｂ、および出力ボタン１７８が配置されている。不具合品一覧表示欄１７２には、不具合が存在するものとしてすでに登録された医療器材の名称がリスト表示される。具体的には、ユーザによって不具合品ボタン１６０がクリックされると、不具合情報取得部１０６は、医療器材管理サーバ１２に不具合情報の送信要求を送信する。医療器材管理サーバ１２の抽出部４２は、病棟ＰＣ１８から不具合情報の送信要求を受信すると、不具合情報データベース４０に記録されたすべての不具合情報を要求元の病棟ＰＣ１８に送信する。医療器材管理サーバ１２の表示データ生成部１０７は、データ出力画面１５０に不具合品ウィンドウ１６１を表示する際、受信した不具合情報によって特定される医療器材の名称を不具合品一覧表示欄１７２に表示するよう表示データを生成する。
【００７３】
データ出力ボタン１７６ａと帳票印刷ボタン１７６ｂはラジオボタンとなっており、ユーザはいずれかのボタンをオンにすることによって、ＣＳＶ（Comma Separated Values）方式によるデータ出力か、印刷出力かの出力形式を選択することができる。出力ボタン１７８がクリックされると、病棟ＰＣ１８は不具合品一覧表示欄１７２に表示された不具合情報を選択された出力形式で出力する。なお、検索ボタン１７４については後述する。
【００７４】
図８は、データ出力画面１５０にトレーサビリティウィンドウ１８０が表示された状態を示す図である。トレーサビリティウィンドウ１８０は、医療器材の将来における使用予定、過去の使用状況、および現在の在庫状況を検索するための画面である。以下、病棟ＰＣ１８のディスプレイ６４Ｃに図８のデータ出力画面１５０が表示されているものとして説明する。
【００７５】
トレーサビリティウィンドウ１８０は、データ出力画面１５０上方に配置されるトレーサビリティボタン１５８がユーザにクリックされることによって表示される。トレーサビリティウィンドウ１８０の略上半分の領域には、商品コード入力欄１８２、選択ボタン１８４、ロット番号入力欄１８６、検索期間指定部１８８、および検索ボタン１９０が配置される。また、略下半分の領域には、検索結果表示欄１９２、データ出力ボタン１７６ａ、帳票印刷ボタン１７６ｂ、および出力ボタン１７８が配置される。データ出力ボタン１７６ａ、帳票印刷ボタン１７６ｂ、および出力ボタン１７８は、不具合品ウィンドウ１６１のものと同様である。
【００７６】
ユーザは、商品コード入力欄１８２に検索対象となる医療器材の商品コードを入力し、ロット番号入力欄１８６に検索対象となる医療器材のロット番号を入力する。これらの入力方法は、不具合品ウィンドウ１６１における商品コード入力欄１６２およびロット番号入力欄１６６と同様である。
【００７７】
また、ユーザ検索対象となる医療器材の使用予定、または使用実績の期間を限定するため、検索期間指定部１８８において検索期間を入力することができる。検索期間指定部１８８は期間開始日欄１８８ａ、期間終了日欄１８８ｂ、および期間指定なしチェックボックス１８８ｃを有しており、これらの入力方法は不具合品ウィンドウ１６１における期間開始日欄１６８ａ、期間終了日欄１６８ｂ、および期間指定なしチェックボックス１６８ｃと同様である。
【００７８】
検索ボタン１９０がクリックされると、検索部１０８は、入力された商品コードおよびロット番号によって特定される医療器材の将来の使用予定、過去の使用実績、および現在の在庫状況を検索する。具体的には、検索ボタン１９０がクリックされると、検索部１０８は、入力された商品コード、ロット番号、および検索期間を検索情報として取得し、送信部９４は取得した検索情報を医療器材管理サーバ１２に送信する。
【００７９】
検索情報を受信すると、医療器材管理サーバ１２の抽出部４２は、まずオーダ情報データベース３２に記録されたオーダ情報の中から、検索情報によって特定される医療器材が使用予定となっている手術のオーダ情報を抽出する。また、抽出部４２は、実施記録データベース３６に記録されている実施記録情報の中から、検索情報によって特定される医療器材の過去の使用状況を示す実施記録情報を抽出する。また抽出部４２は、在庫データベース３８に記録された在庫情報の中から、検索情報によって特定される医療器材の現在の在庫状況を示す在庫情報を抽出する。
【００８０】
抽出されたオーダ情報、実施記録情報、及び在庫情報は、送信部４４によって検索情報の送信元の病棟ＰＣ１８に送信される。病棟ＰＣ１８がこれらの情報を受信すると、表示データ生成部１０７は、検索結果表示欄１９２に、抽出されたオーダ情報、実施記録情報、及び在庫情報を表示するよう表示データを生成する。こうして、検索結果表示欄１９２には入力された商品コードおよびロット番号によって特定される医療器材の将来の使用予定、過去の使用実績、および現在の在庫状況が表示される。
【００８１】
図７に戻って、ユーザは、不具合品一覧表示欄１７２に表示された医療器材を選択して検索ボタン１７４をクリックすることによって、トレーサビリティウィンドウ１８０と同様に、不具合が存在するものとして登録された医療器材の将来の使用予定、過去の使用実績、および現在の在庫状況を検索することができる。
【００８２】
具体的には、不具合品一覧表示欄１７２に表示された医療器材のうち１つの医療器材がユーザによってクリックされ選択されると、その医療器材の情報を表示している箇所がハイライト表示される。この状態で検索ボタン１７４がクリックされると、まず不具合品ウィンドウ１６１に代わってトレーサビリティウィンドウ１８０が表示される。検索部１０８は、商品コード入力欄１６２に入力された商品コード、ロット番号入力欄１６６に入力されたロット番号、および不具合対象期間指定部１６８に入力された不具合対象期間を検索情報として取得する。その後、トレーサビリティウィンドウ１８０において検索ボタン１９０がクリックされた場合と同様の処理が実施され、検索結果表示欄１９２に、不具合が存在するものとして登録された医療器材のうち選択された医療器材の将来の使用予定、過去の使用実績、および現在の在庫状況が表示される。
【００８３】
なお、病棟ＰＣ１８においてトレーサビリティウィンドウ１８０における検索、および不具合品ウィンドウ１６１における検索が実施される場合について説明したが、トレーサビリティウィンドウ１８０、および不具合品ウィンドウ１６１は医師用ＰＣ１４および在庫管理者用ＰＣ１６においても表示可能である。医師用ＰＣ１４の検索部６３、および在庫管理者用ＰＣ１６の検索部８２は、病棟ＰＣ１８の検索部１０８と同様に検索を実施する。
【００８４】
図９は、第１の実施形態に係る携帯端末２０の全体構成図である。携帯端末２０は、識別コード読取部１１０、ディスプレイ１１１、受信部１１２、送信部１１４、記憶部１１６、オーダ情報取得部１１８、実施入力取得部１２０、表示データ生成部１２２、およびスタイラス１２６を備える。
【００８５】
識別コード読取部１１０は、医療器材に付された識別コードを読み取る。受信部１１２はネットワーク２２を介して携帯端末２０に送信されたデータを受信し、送信部１１４は無線によって対応する病棟ＰＣ１８を介してネットワーク２２にデータを送信する。オーダ情報取得部１１８は、ネットワーク２２を介して医療器材管理サーバ１２から送信されたオーダ情報を取得する。記憶部１１６は、取得したオーダ情報などのデータを格納する。表示データ生成部１２２はディスプレイ１１１に表示するための表示データを生成し、ディスプレイ１１１は生成された表示データを表示する。ディスプレイ１１１はスタイラス１２６などで押圧することによって入力可能な入力装置としても機能する。
【００８６】
実施入力取得部１２０は、看護師などによって入力される実施入力を実施記録情報として取得する。実施入力の入力方法については、図１０に関連して詳述する。
【００８７】
図１０（ａ）は、医療器材に付された識別コードが読み取られていない状態の実施入力画面２６０を示す図であり、図１０（ｂ）は、医療器材に付された識別コードが読み取られた状態の実施入力画面２６０を示す図である。手術の準備品を実際に準備する看護師などは、この実施入力画面２６０に準備が完了した医療器材を識別する情報を入力することによって実施記録情報を入力する。
【００８８】
実施入力画面２６０は、携帯端末２０のディスプレイ１１１に表示される。実施入力画面２６０は、オーダ情報ボタン２６２、タブ２６４、医療器材表示画面２６６、数量変更ボタン２６８、削除ボタン２７０、および実施入力完了ボタン２７２を備える。
【００８９】
携帯端末２０を用いて実施入力を行う看護師などは、まずオーダ情報ボタン２６２をスタイラス１２６などで押して、オーダ選択画面（図示せず）を表示させ、オーダ選択画面に表示されたオーダ情報を選択することによって、呼び出すオーダ情報を選択する。医療器材管理サーバ１２は、こうして選択されたオーダ情報を携帯端末２０に送信し、携帯端末２０のオーダ情報取得部１１８は、受信したオーダ情報を取得する。表示データ生成部１２２は、取得したオーダ情報に含まれる患者名および術式を実施入力画面２６０に表示する。
【００９０】
タブ２６４には、時間、スタッフ、器材、手技、加算、ガスの各タブが設けられている。このうち器材タブを押すことによって医療器材表示画面２６６が表示される。この状態では、図１０（ａ）に示されるように、医療器材表示画面２６６には医療器材に関する情報は何も表示されない。医療器材表示画面２６６を表示後、医療器材に付された識別コードを識別コード読取部１１０によって読み取ることで医療器材の識別情報を入力すると、表示データ生成部１２２は、識別コードを読み取ることによって特定される医療器材の名称を医療器材表示画面２６６に表示するよう表示データを生成する。これによって、図１０（ｂ）に示されるように医療器材表示画面２６６に識別コードを読み取った医療器材の名称が表示される。医療器材表示画面２６６に表示された医療器材を選択後、数量変更ボタン２６８を押して数量を入力することにより、選択された医療器材の数量を変更することが可能となっている。また、医療器材表示画面２６６に表示された医療器材を選択後、削除ボタン２７０を押すことによって、その医療器材を医療器材表示画面２６６から削除することが可能となっている。
【００９１】
実施入力完了ボタン２７２が押されると、実施入力取得部１２０は、入力された医療器材を特定する情報、および入力された医療器材を使用した手術のオーダ情報を実施記録情報として取得する。取得された実施記録情報は送信部１１４によって医療器材管理サーバ１２に送信される。医療器材管理サーバ１２は受信した実施記録情報を実施記録データベース３６に記録する。
【００９２】
図１１は、識別コードが読み取られた医療器材に不具合が存在する場合の実施入力画面２６０を示す図である。識別コードが読み取られた医療器材に不具合が存在する場合、実施入力画面２６０に確認ウィンドウ２７４が表示される。確認ウィンドウ２７４には、「不具合品の可能性があります。確認を行ってください。」などのメッセージが表示される。確認ウィンドウ２７４は、確認ウィンドウ２７４内に設けられたＯＫボタン２７６を押すことによって閉じることができる。
【００９３】
具体的には、携帯端末２０において、識別コード読取部１１０によって医療器材に付された識別コードが読み取られると、送信部１１４は、識別コードを読み取ることにより得られた医療器材の識別情報を医療器材管理サーバ１２に送信する。医療器材管理サーバ１２の抽出部４２は、不具合情報データベース４０に記録される不具合情報によって特定される医療器材の中に、受信した識別情報によって特定される医療器材が含まれるか否かを判定することによって、携帯端末２０で識別コードを読み取った医療器材が不具合が存在するものとして登録されているか否かを判定する。携帯端末２０で識別コードを読み取った医療器材が不具合が存在するものとして登録されている場合、医療器材管理サーバ１２の送信部１１４は、医療器材の識別情報の送信元の携帯端末２０に、その医療器材に不具合が存在する旨を示す情報を送信する。医療器材に不具合が存在する旨を示す情報を携帯端末２０が受信すると、携帯端末２０の表示データ生成部１２２は、確認ウィンドウ２７４を表示するよう表示データを生成する。こうして医療器材が不具合が存在するものとして登録されている場合、その医療器材の識別コードを読み取ると、確認ウィンドウ２７４が実施入力画面２６０に表示される。
【００９４】
図１２は、準備品の中に不具合が存在するものとして登録された医療器材が含まれる場合のオーダ登録画面２０２を示す図である。医療器材管理システム１０では、準備品リスト欄２４８に表示される医療器材の中に不具合が存在するものとして登録された医療器材がある場合には、その医療器材の情報をハイライト表示させる。図１２の例では、準備品リストの上から２列目に表示された「ＢＢＢ」が、不具合が存在するものとして登録されているためハイライト表示されている。
【００９５】
具体的には、術式入力欄２３４に術式が入力され、準備品情報の送信要求が医療器材管理サーバ１２に送信された場合、医療器材管理サーバ１２の抽出部４２は、入力された術式に応じた準備品情報を抽出すると共に、抽出した準備品情報に含まれる医療器材が不具合が存在するものとして登録されているか検索する。具体的には、抽出部４２は、送信する準備品情報によって特定される医療器材の中で、不具合情報データベース４０に記録されている不具合情報によって特定される医療器材が含まれるか否かを判定する。準備品に不具合が存在する医療器材が含まれている場合、抽出部４２は、送信する準備品情報に含まれる医療器材情報のうち、不具合が存在する医療器材を特定する医療器材情報にその旨を示すデータを付加する。表示データ生成部６２は、不具合が存在する旨を示すデータが付された医療器材情報を、そのようなデータが付されていない医療器材情報と異なる態様で表示させるよう表示データを生成する。
【００９６】
また、ユーザは、一覧表示画面（図示せず）に表示されたオーダ情報の一覧のうち１つのオーダ情報を選択することなどによって、オーダ登録画面２０２に選択したオーダ情報を表示させることができる。このとき、準備品リスト欄２４８に表示される医療器材の中に不具合が存在するものとして登録された医療器材がある場合には、その医療器材の情報がハイライト表示される。
【００９７】
具体的には、オーダ情報取得部５８は、オーダ登録画面２０２または一覧表示画面を表示させる場合に、表示させる準備品の送信要求を医療器材管理サーバ１２に送信する。医療器材管理サーバ１２の抽出部４２は、送信を要求されたオーダ情報をオーダ情報データベース３２に記録されたオーダ情報から抽出する。抽出されたオーダ情報は送信部４４によって要求元の医師用ＰＣ１４に送信される。
【００９８】
このとき、抽出部４２は、送信するオーダ情報によって特定される医療行為において、使用予定の医療器材が不具合が存在するものとして登録されているか検索する。具体的には、抽出部４２は、送信するオーダ情報によって準備品として特定される医療器材の中で、不具合情報データベース４０に記録されている不具合情報によって特定される医療器材が含まれるか否かを判定する。使用予定の医療器材に不具合があるものが含まれている場合、抽出部４２は、不具合が存在する医療器材を特定する医療器材情報にその旨を示すデータを付加する。
【００９９】
病棟ＰＣ１８のオーダ情報取得部９８は、医療器材管理サーバ１２から受信したオーダ情報を取得する。表示データ生成部１０７は、取得したオーダ情報をオーダ登録画面２０２の各欄に表示するよう表示データを生成する。このとき取得したオーダ情報に含まれる医療器材情報を準備品リスト欄２４８に表示するよう表示データを生成する。
【０１００】
表示データ生成部１０７は、医療器材情報を準備品リスト欄２４８に表示するに際して、医療器材情報に不具合が存在することを示す情報が付加されているか否かを判定する。医療器材情報に不具合が存在することを示す情報が付加されている場合、表示データ生成部１０７は、その医療器材に不具合が存在するものとして、そのような情報が付加された医療器材情報を表示する箇所をハイライト表示させるよう表示データを生成する。このようにハイライト表示させることによって、不具合が存在する医療器材をユーザに報知させることができる。
【０１０１】
なお、表示データ生成部１０７はハイライト表示させる代わりに、データが付加された医療器材情報の表示を、他の医療器材情報の表示と異なる色で表示するよう表示データを生成してもよい。また、医療器材管理サーバ１２は、スピーカから音声によって不具合が存在する医療器材をユーザに報知してもよい。
【０１０２】
なお、医師用ＰＣ１４において、医師がオーダ登録画面２０２を表示させてオーダ情報を入力する際にも、準備品リスト欄２４８に表示される医療器材が不具合が存在するものとして登録されている場合、上述と同様の処理がなされる。
【０１０３】
（第２の実施形態）
図１３は、第２の実施形態に係る医療器材管理システム１０において、準備品の中に不具合が存在するものとして登録された医療器材が含まれる場合のオーダ登録画面２０２を示す図である。第２の実施形態に係る医療器材管理システム１０の構成は、第１の実施形態に係る医療器材管理システム１０の構成と同様である。図１３に示されるオーダ登録画面２０２も、準備品リスト欄２４８のチェックボックス欄２５６のチェックなどを看護師が行うため病棟ＰＣ１８において表示されているものとする。
【０１０４】
第２の実施形態においても、ユーザは一覧表示画面（図示せず）に表示されたオーダ情報の一覧のうち１つのオーダ情報を選択することなどによって、オーダ登録画面２０２に選択したオーダ情報を表示させることができる。このとき、準備品リスト欄２４８に表示される医療器材の中に、不具合が存在するものとして登録された医療器材がある場合には、その医療器材の情報をハイライト表示させると共に、その医療器材の情報が表示される周辺に警告ウィンドウ２７８を表示させる。
【０１０５】
具体的には、まず医療器材の情報をハイライト表示させる方法は第１の実施形態と同様である。表示データ生成部１０７は、医療器材情報に不具合が存在することを示す情報が付加されている場合、表示データ生成部１０７は、その医療器材に不具合が存在するものとして、そのような情報が付加された医療器材情報を表示する箇所をハイライト表示させると共に、警告ウィンドウ２７８をその医療器材の情報が表示される周辺に警告ウィンドウ２７８を表示させるよう表示データを生成する。警告ウィンドウ２７８には、たとえば「注意！上記準備品は不具合対象品の可能性があります。準備時にロット番号を確認してください。また代替可能な器材は以下の通りです。」というような警告メッセージと、「代替可能器材：器材Ａ、器材Ｂ、器材Ｃ」など、不具合が存在するものとして登録された医療器材に代わって使用することが可能な代替可能器材の名称が表示される。このように代替可能器材を表示させることによって、看護師は円滑に準備品としての医療器材を用意することができる。
【０１０６】
本発明は上述の各実施形態に限定されるものではなく、各実施形態の各要素を適宜組み合わせたものも、本発明の実施形態として有効である。また、当業者の知識に基づいて各種の設計変更等の変形を各実施形態に対して加えることも可能であり、そのような変形が加えられた実施形態も本発明の範囲に含まれうる。以下、そうした例をあげる。
【０１０７】
ある変形例では、不具合が存在するものとしてある医療器材が登録された場合、医療器材管理サーバ１２は、在庫管理者用ＰＣ１６へ通知する。具体的には、不具合情報データベース４０に新たな不具合情報が記録された場合、医療器材管理サーバ１２は、その不具合情報によって特定される医療器材の在庫状況を示す在庫情報と、不具合が存在するものとして登録された医療器材に代わって使用可能な代替品の情報である代替品情報とを在庫管理者用ＰＣ１６に送信する。なお、医療器材管理サーバ１２は、在庫情報と代替品情報と共に不具合情報も在庫管理者用ＰＣ１６に送信してもよい。
【０１０８】
在庫情報および代替品情報を受信した在庫管理者用ＰＣ１６は、ディスプレイ６４Ｂに在庫情報および代替品情報を表示させる。在庫管理者用ＰＣ１６は、在庫情報を登録するプログラムを起動したときや、在庫情報を登録するプログラムの起動中においてこれらの情報を受信したとき、または所定の画面を表示したときや検索を実行したときなどに、受信した不具合情報および代替品情報を表示する。なお、医療器材管理サーバ１２は、電子メールによって在庫管理者に在庫情報および代替品情報を送信してもよいことは勿論である。
【０１０９】
以上の変形例では、ある医療器材が不具合が存在するものとして登録された場合に、その旨を迅速に在庫管理者に報知することができる。在庫管理者は受信した情報に基づいて不具合が存在する医療器材の発注を停止する、または代替品を新たに発注するなどの対応をとることができ、円滑な医療行為を補助することができる。
【０１１０】
なお、在庫管理者用ＰＣ１６は、不具合が存在する医療器材の在庫情報に含まれる医療器材の数量を参照し、在庫管理者用ＰＣ１６のユーザに、その医療器材の別ロット品、または代替品の発注を行うかを確認する表示を行ってもよい。これによって不具合が存在する医療器材の発注の停止や代替品の新たな発注を在庫管理者に促すことができる。
【０１１１】
また、別の変形例では、不具合が存在するものとしてある医療器材が登録された場合、医療器材管理サーバ１２は、その医療器材が使用予定の手術などの医療行為を担当する看護師が携帯する携帯端末２０、その医療行為を担当する看護師が使用する病棟ＰＣ１８、またはその医療行為を担当する医師が使用する医師用ＰＣ１４に通知する。
【０１１２】
具体的には、不具合情報データベース４０に新たな不具合情報が記録された場合、医療器材管理サーバ１２の抽出部４２は、その不具合情報によって特定される医療器材が、使用予定の医療器材としてその医療器材情報を含むオーダ情報を抽出する。そのようなオーダ情報がある場合、医療器材管理サーバ１２は、そのオーダ情報に含まれる看護師または医師を特定し、その看護師が携帯する携帯端末２０、その看護師が使用する病棟ＰＣ１８、またはその医師が使用する医師用ＰＣ１４を特定する。医療器材管理サーバ１２は、特定した携帯端末２０、病棟ＰＣ１８、または医師用ＰＣ１４に、不具合が存在するものとして新たに不具合情報データベース４０に記録された不具合情報を送信する。
【０１１３】
不具合情報を受診した携帯端末２０、病棟ＰＣ１８、または医師用ＰＣ１４は、ディスプレイに受診した不具合情報を表示させる。携帯端末２０、病棟ＰＣ１８、または医師用ＰＣ１４は、オーダ情報や実施記録情報を登録するプログラムを起動した時や、そのプログラムの起動中において不具合情報を受信したとき、または所定の画面を表示したときや検索を実行したときなどに、受信した不具合情報を表示する。なお、医療器材管理サーバ１２は、電子メールによって、特定した看護師または医師に不具合情報を送信してもよいことは勿論である。
【０１１４】
以上の変形例によれば、ある医療器材が不具合が存在するものとして登録された場合に、その医療器材を使用する予定の看護師や医師にその旨を報知することができる。これによって看護師や医師は、そのような医療器材を使用を中止したり、代替品を使用する予定に変更するなどの対応をとることができ、円滑な医療行為を実現することができる。
【０１１５】
また、別の変形例では、不具合が存在するものとしてある医療器材が登録された場合、準備品リストマスタデータベース３４に記録された準備品情報に含まれる医療器材情報の中から、不具合が存在するものとして登録された医療器材を特定する医療器材情報を削除する。このとき、その医療器材の代替品の医療器材情報を削除した医療器材情報に代わって準備品情報に含ませる。
【０１１６】
この場合、まず携帯端末２０または病棟ＰＣ１８に準備品リストマスタデータベース３４に記録された準備品情報を更新してもよいか否かを通知し、更新してもよい旨を示す情報が返信された場合に上記処理を実施してもよい。これによって、オーダ登録画面２０２の準備品リスト欄２４８に表示される準備品の中に不具合が存在する医療器材が表示されることを抑制することができる。
【０１１７】
また、別の変形例では、不具合が存在するものとしてある医療器材が登録された場合、医療器材管理サーバ１２は、その医療器材が使用された手術などの医療器材を担当した看護師が携帯する携帯端末２０、その医療行為を担当した看護師が使用する病棟ＰＣ１８、またはその医療行為を担当した医師が使用する医師用ＰＣ１４に通知する。
【０１１８】
具体的には、不具合情報データベース４０に新たな不具合情報が記録された場合、医療器材管理サーバ１２の抽出部４２は、その不具合情報によって特定される医療器材が、使用された医療器材としてｓの医療器材情報を含む実施記録情報を抽出する。そのような実施記録情報がある場合、医療器材管理サーバ１２は、実施記録情報に含まれる看護師または医師を特定し、その看護師が携帯する携帯端末２０、その看護師が使用する病棟ＰＣ１８、またはその医師が使用する医師用ＰＣ１４を特定する。医療器材管理サーバ１２は、特定した携帯端末２０、病棟ＰＣ１８、または医師用ＰＣ１４に、不具合が存在するものとして新たに不具合情報データベース４０に記録された不具合情報を送信する。
【０１１９】
なお、実施記録情報に含められた使用済みの医療器材を示す医療器材情報には、その医療器材に不具合が見つかったときに使用を中止したり代替品に交換したりする必要性を示す警告レベルが付されていてもよい。医療器材管理サーバ１２は、不具合が存在するものとしてある医療器材が登録された場合、たとえばその医療器材の警告レベルが所定の値以上の場合など、医療器材情報に付された警告レベルに応じて特定した携帯端末２０、病棟ＰＣ１８、または医師用ＰＣ１４に不具合情報を送信してもよい。これによって使用中止や交換の必要性が高い医療器材に不具合が見つかった場合に、その医療器材を使用した看護師や医師に効果的にその旨を報知することができる。
【０１２０】
不具合情報を受診した携帯端末２０、病棟ＰＣ１８、または医師用ＰＣ１４は、ディスプレイに受診した不具合情報を表示させる。携帯端末２０、病棟ＰＣ１８、または医師用ＰＣ１４が受信した不具合情報を表示するタイミングは前述の変形例と同様である。なおこの変形例においてもね医療器材管理サーバ１２は電子メールによって、特定した看護師または医師に不具合情報を送信してもよいことは勿論である。
【０１２１】
以上の変形例によれば、ある医療器材が不具合が存在するものとして登録された場合に、その医療器材を使用した看護師や医師にその旨を報知することができる。これによって看護師や医師は、そのような医療器材が患者に現在も装着されている場合にその医療器材を別ロット品や代替品に交換するなどの対応をとることができる。
【０１２２】
また、別の変形例では、不具合器材登録部１０４により、不具合が存在する医療器材が不具合情報データベース４０に登録されたタイミングで、医療器材管理サーバ１２の抽出部４２は、オーダ情報データベース３２、在庫データベース３８、および実施記録データベース３６の少なくとも２つ以上から、不具合が存在する医療器材を特定する情報を含む情報、たとえばオーダ情報、在庫情報、および実施記録情報のいずれかの情報を抽出する。送信部４４は、抽出された情報を病棟ＰＣ１８、在庫管理者用ＰＣ１６、および病棟ＰＣ１８のいずれかに送信する。このとき送信部４４は、オーダ情報に不具合器材を特定する情報が含まれる場合に、医師用ＰＣ１４にその不具合器材を特定する情報を送信し、在庫情報に不具合器材を特定する情報が含まれる場合に、在庫管理者用ＰＣ１６にその不具合器材を特定する情報を送信し、実施記録情報に不具合器材を特定する情報が含まれる場合に、病棟ＰＣ１８にその不具合器材を特定する情報を送信してもよい。病棟ＰＣ１８、在庫管理者用ＰＣ１６、および医師用ＰＣ１４のいずれかの表示データ生成部は、受信した不具合器材に関する情報を表示するための表示データを生成することによりディスプレイに不具合器材に関する情報を表示する。
【０１２３】
これにより、医療機関内で不具合器材の所在を一括して確認することができる。また、抽出された不具合器材に関する情報を、通信回線を介して、例えば医療器材提供業者が管理するサーバなど医療機関外の情報管理サーバへ送信してもよい。これにより、医療機関外の情報管理サーバは医療器材を提供している医療機関内のどこに不具合対象器材が存在しているのかを確認することができる。
【図面の簡単な説明】
【０１２４】
【図１】第１の実施形態に係る医療器材管理システムの全体構成図である。
【図２】医療器材管理サーバの全体構成図である。
【図３】医師用ＰＣの全体構成図である。
【図４】オーダ登録画面を示す図である。
【図５】在庫管理者用ＰＣの全体構成図である。
【図６】病棟ＰＣの全体構成図である。
【図７】データ出力画面に不具合品ウィンドウが表示された状態を示す図である。
【図８】データ出力画面にトレーサビリティウィンドウが表示された状態を示す図である。
【図９】第１の実施形態に係る携帯端末の全体構成図である。
【図１０】（ａ）は、医療器材に付された識別コードが読み取られていない状態の実施入力画面を示す図であり、（ｂ）は、医療器材に付された識別コードが読み取られた状態の実施入力画面を示す図である。
【図１１】識別コードが読み取られた医療器材に不具合が存在する場合の実施入力画面を示す図である。
【図１２】準備品の中に不具合が存在するものとして登録された医療器材が含まれる場合のオーダ登録画面を示す図である。
【図１３】第２の実施形態に係る医療器材管理システムにおいて、準備品の中に不具合が存在するものとして登録された医療器材が含まれる場合のオーダ登録画面を示す図である。
【符号の説明】
【０１２５】
１０  医療器材管理システム、  １２  医療器材管理サーバ、  １４  医師用ＰＣ、  １６  在庫管理者用ＰＣ、  １８  病棟ＰＣ、  ２０  携帯端末、  ３２  オーダ情報データベース、  ３４  準備品リストマスタデータベース、  ３６  実施記録データベース、  ３８  在庫データベース、  ４０  不具合情報データベース、  ４２  抽出部、  ５８  オーダ情報取得部、  ６０  準備品情報取得部、  ７８  在庫情報取得部、  １０２  在庫情報取得部、  １０４  不具合器材登録部、  １０６  不具合情報取得部、  １２０  実施入力取得部、  １６１  不具合品ウィンドウ、  １８０  トレーサビリティウィンドウ、  ２０２  オーダ登録画面、  ２４８  準備品リスト欄、  ２６０  実施入力画面
【図１】
2008009541.tif 000003
【図２】
2008009541.tif 000004
【図３】
2008009541.tif 000005
【図４】
2008009541.tif 000006
【図５】
2008009541.tif 000007
【図６】
2008009541.tif 000008
【図７】
2008009541.tif 000009
【図８】
2008009541.tif 000010
【図９】
2008009541.tif 000011
【図１０】
2008009541.tif 000012
【図１１】
2008009541.tif 000013
【図１２】
2008009541.tif 000014
【図１３】
2008009541.tif 000015